(57)【要約】【課題】生年月日の入力の手間を減少させることを目的とする。【解決手段】対象者の年齢の入力を受け付け、入力された前記年齢と、前記入力を受け付けた時の年月日とに基づき、生まれ年の候補となる範囲を特定し、特定した前記生まれ年の候補となる範囲に含まれるそれぞれの年を出力する、処理をコンピュータに実行させるための情報入力支援プログラムが提供される。【選択図】図４
2017134779.tif 000002
【特許請求の範囲】
【請求項１】
対象者の年齢の入力を受け付け、
入力された前記年齢と、前記入力を受け付けた時の年月日とに基づき、生まれ年の候補となる範囲を特定し、
特定した前記生まれ年の候補となる範囲に含まれるそれぞれの年を出力する、
処理をコンピュータに実行させるための情報入力支援プログラム。
【請求項２】
前記生まれ年の候補となる範囲を、プルダウンメニュー又はダイヤル式の表示形態で出力する、
請求項１に記載の情報入力支援プログラム。
【請求項３】
前記生まれ年の入力を受け付け、
入力された前記年齢と、入力された前記生まれ年と、前記入力を受け付けた時の年月日とに基づき、生まれ月の候補となる範囲を特定し、
特定した前記生まれ月の候補となる範囲に含まれるそれぞれの月を出力する、
請求項１又は２に記載の情報入力支援プログラム。
【請求項４】
前記生まれ月の入力を受け付け、
入力された前記生まれ月と前記入力を受け付けた時の月とが同じ場合、入力された前記年齢と、入力された前記生まれ年月と、前記入力を受け付けた時の年月日とに基づき、生まれ日の候補となる範囲を特定し、
特定した前記生まれ日の候補となる範囲に含まれるそれぞれの日を出力する、
請求項３に記載の情報入力支援プログラム。
【請求項５】
プルダウンメニュー又はダイヤル式の表示形態で、前記生まれ年の候補となる範囲、前記生まれ月の候補となる範囲及び前記生まれ日の候補となる範囲の少なくともいずれかの候補群を表示する際に画面スクロールが必要な場合、表示する候補群の中央に配置される候補を初期の選択対象として表示する、
請求項１〜４のいずれか一項に記載の情報入力支援プログラム。
【請求項６】
対象者の年齢の入力を受け付け、
入力された前記年齢と、前記入力を受け付けた時の年月日とに基づき、生まれ年の候補となる範囲を特定し、
特定した前記生まれ年の候補となる範囲に含まれるそれぞれの年を出力する、
処理をコンピュータが実行する情報入力支援方法。
【請求項７】
対象者の年齢の入力を受け付ける受付部と、
入力された前記年齢と、前記入力を受け付けた時の年月日とに基づき、生まれ年の候補となる範囲を特定する特定部と、
特定した前記生まれ年の候補となる範囲に含まれるそれぞれの年を出力する出力部と、
を有する情報入力支援装置。
【発明の詳細な説明】
【技術分野】
【０００１】
本発明は、情報入力支援プログラム、情報入力支援方法及び情報入力支援装置に関する。
【背景技術】
【０００２】
例えば、問診データの患者情報の生年月日を入力する場合や、Ｗｅｂを使用したＰＨＲ（Personal Health Record）システムの利用者の生年月日を入力する場合等、様々なシステムを利用する際、スマートフォンやタブレット型端末から対象者の生年月日や年齢を入力することがある。
【先行技術文献】
【特許文献】
【０００３】
【特許文献１】特開２００１−１９０５１４号公報
【特許文献２】特開２００１−２２２７２７号公報
【発明の概要】
【発明が解決しようとする課題】
【０００４】
しかしながら、入力する情報が生年月日である場合、年齢を入力する場合と比べて入力項目が多いため入力操作が煩わしい。また、生まれ年を西暦で入力する方法では、和暦に慣れている人にとっては自分の生まれた年を西暦で入力する操作は煩雑である。逆に、生まれ年を和暦で入力する方法では、西暦に慣れている人にとっては自分の生まれた年の和暦を入力する操作は煩雑である。
【０００５】
そこで、一側面では、本発明は、生年月日の入力の手間を減少させることを目的とする。
【課題を解決するための手段】
【０００６】
一つの案では、対象者の年齢の入力を受け付け、入力された前記年齢と、前記入力を受け付けた時の年月日とに基づき、生まれ年の候補となる範囲を特定し、特定した前記生まれ年の候補となる範囲に含まれるそれぞれの年を出力する、処理をコンピュータに実行させるための情報入力支援プログラムが提供される。
【発明の効果】
【０００７】
一側面によれば、生年月日の入力の手間を減少させることができる。
【図面の簡単な説明】
【０００８】
【図１】一実施形態にかかる情報入力支援装置のハードウェア構成の一例を示す図。
【図２】一実施形態にかかる情報入力支援装置の機能構成の一例を示す図。
【図３】一実施形態にかかる情報入力支援処理の一例を示すフローチャート。
【図４】一実施形態にかかる入力画面の表示例を示す図。
【図５】一実施形態にかかる年齢の初期値設定処理の一例を示すフローチャート。
【図６】一実施形態にかかる入力画面の表示例を示す図。
【図７】一実施形態にかかる入力画面の表示例を示す図。
【発明を実施するための形態】
【０００９】
以下、本発明の実施形態について添付の図面を参照しながら説明する。なお、本明細書及び図面において、実質的に同一の機能構成を有する構成要素については、同一の符号を付することにより重複した説明を省く。
【００１０】
［情報入力支援装置のハードウェア構成］
まず、本発明の一実施形態に係る情報入力支援装置のハードウェア構成について、図１を参照しながら説明する。本実施形態に係る情報入力支援装置１は、スマートフォン、タブレット型端末、パーソナルコンピューター、携帯電話、ＨＭＤ（Head Mount Display）等のウェアラブル表示デバイス、ＰＤＡ（Personal Digital Assistants）等のあらゆる電子機器にて実現され得る。図１には、情報入力支援装置１のハードウェア構成の一例が示されるが、情報入力支援装置１のハードウェア構成はこれに限らない。
【００１１】
情報入力支援装置１は、プロセッサ１０、モデム１１、無線部１２、アンテナ１３、メモリ１４、タッチパネル１５、カメラ１６、マイクロフォン／スピーカ１７、ディスプレイ１８及び電源１９を有する。
【００１２】
プロセッサ１０は、情報入力支援装置１の全体を制御するＣＰＵを含み、例えばＡＳＩＣ（Application Specific Integrated Circuit ：特定用途向け専用ＩＣ）で構成される。
【００１３】
モデム１１は、データ信号を、無線部１２が送信する無線信号に変調する処理を行う。また、モデム１１は、無線部１２が受信する無線信号を、データ信号に復調する処理を行う。無線部１２は、プロセッサ１０の制御に従い、アンテナ１３を介して基地局との間で無線信号を無線通信する。
【００１４】
メモリ１４には、プログラムやデータが格納されている。プログラムやデータは、所定のタイミングにプロセッサ１０により読み込まれ、プロセッサ１０にて情報入力支援処理等の処理が実行される際に使用される。
【００１５】
タッチパネル１５は、ユーザの指やスタイラスペンの画面へのタッチ操作を検出する。これにより、情報入力支援装置１の利用者の入力操作が受け付け可能になる。カメラ１６は、静止画像又は動画像を撮像する。
【００１６】
マイクロフォン／スピーカ１７は、音声の入出力を行う。音声の入力にはマイクロフォンが用いられ、音声の出力にはスピーカが用いられる。ディスプレイ１８は、利用者の年齢や生年月日などの所定の情報を入力するための入力画面やその他の情報を表示する。電源１９は、情報入力支援装置１の各部に対する電力の供給及び供給の停止を制御する。
【００１７】
［情報入力支援装置の機能構成］
次に、本実施形態に係る情報入力支援装置１の機能構成の一例について、図２を参照しながら説明する。本実施形態に係る情報入力支援装置１は、受付部２１、特定部２２、出力部２３、選択部２４及び記憶部２５を有する。受付部２１は、利用者（対象者）の年齢の入力を受け付ける。
【００１８】
特定部２２は、入力された年齢と、入力を受け付けた時の年月日（以下、「入力年月日」ともいう。）とに基づき、生まれ年の候補となる範囲を特定する。また、特定部２２は、入力された年齢と、入力された生まれ年と、入力年月日とに基づき、生まれ月の候補となる範囲を特定する。さらに、入力された生まれ月と入力年月日の月とが同じ場合、特定部２２は、入力された生まれ月と、入力年月日の月とが同じ場合、入力された年齢と、入力された生まれ年月と、入力年月日とに基づき、生まれ日の候補となる範囲を特定する。
【００１９】
出力部２３は、特定した生まれ年の候補となる範囲に含まれるそれぞれの年を出力する。また、出力部２３は、特定した生まれ月の候補となる範囲に含まれるそれぞれの月を出力する。出力部２３は、特定した生まれ日の候補となる範囲に含まれるそれぞれの日を出力する。
【００２０】
出力部２３は、プルダウンメニュー又はダイヤル式の表示形態で、生まれ年、生まれ月、及び生まれ日の候補となる範囲の少なくともいずれかの候補群を表示する際に画面スクロールが必要な場合、表示する候補群の中央に配置される候補を初期の選択対象として表示してもよい。
【００２１】
選択部２４は、出力された生まれ年の候補となる範囲から、利用者の選択操作に応じて利用者の生まれ年を選択する。また、選択部２４は、出力された生まれ月の候補となる範囲から、利用者の選択操作に応じて対象者の生まれ月を選択する。また、選択部２４は、出力された生まれ日の候補となる範囲から、利用者の選択操作に応じて対象者の生まれ日を選択する。
【００２２】
記憶部２５には、プログラムや処理情報が格納される。プログラムには情報入力支援プログラム２６が含まれる。
【００２３】
受付部２１の機能は、例えばタッチ操作を検出するタッチパネル１５により実現される。ただし、受付部２１は、タッチパネル１５に限らず、例えば入力操作を受け付けるマウスポインタやキーボードにより実現されてもよい。
【００２４】
出力部２３の機能は、例えば生年月日を入力するための画面及び所定の情報を表示するディスプレイ１８により実現され得る。
【００２５】
特定部２２及び選択部２４の機能は、例えば記憶部２５にインストールされた情報入力支援プログラム２６が、プロセッサ１０に実行させる情報入力支援処理により実現され得る。
【００２６】
記憶部２５は、メモリ１４により実現されてもよく、ハードディスクなどの補助記憶装置を含んだ記憶装置により実現されてもよい。
【００２７】
［情報入力支援処理］
次に、本実施形態に係る情報入力支援処理の一例について、図３のフローチャートを参照して説明する。図３の情報入力支援処理は、例えば情報入力支援装置１から所望のシステムの利用者の生年月日を登録する際に実行される。本実施形態に係る情報入力支援処理によれば、利用者の生年月日の入力の手間を減少させることができる。本実施形態に係る情報入力支援処理は、主にプロセッサ１０により実行される。
【００２８】
本処理が開始されると、システムの利用者は、タッチパネル１５の画面をタッチ操作して利用者の年齢を入力する。ステップＳ１０において、受付部２１は、利用者の年齢の入力を受け付ける。例えば、図４（ａ）は、年齢の入力画面をディスプレイ１８に表示した一例を示す。
【００２９】
次に、ステップＳ１１〜Ｓ１５において、特定部２２は、入力された年齢と入力年月日とに基づき、生まれ年（生年月日の年）の候補となる範囲を特定する。
【００３０】
具体的には、ステップＳ１１において、特定部２２は、まず、入力年月日の年から入力された年齢を減算した値を「生まれ年の終了年」と特定する。また、特定部２２は、生まれ年の終了年から１を減算した値を「生まれ年の開始年」と特定する。
【００３１】
例えば、図４（ａ）に示すように、利用者が、ディスプレイ１８に表示した年齢の入力画面から十の桁の「３」と一の桁の「５」をタッチしたとする。入力年月日の年が「２０１４」の場合、特定部２２は、「生まれ年の終了年」を「１９７９」（＝２０１４−３５）と特定する。また、特定部２２は、「生まれ年の開始年」を「１９７８」と特定する。なお、年齢の入力画面は、図５（ａ）に示すように、提供するシステムの利用が推定される年齢を初期値として予め設定し、ディスプレイ１８の中央側に表示するようにしてもよい。
【００３２】
次に、ステップＳ１２において、特定部２２は、入力年月日の月日が１２月３１日か否かを判定する。入力月日が１２月３１日である場合、ステップＳ１３に進み、特定部２２は、生まれ年を「生まれ年の終了年」と特定する。上記の例では、入力月日が１２月３１日である場合、生まれ年は「１９７９」と特定される。また、ステップＳ１３において、特定部２２は、生まれ月の開始月を「１」と特定し、生まれ月の終了月を「１２」と特定する。
【００３３】
次にステップＳ１４において、出力部２３は、特定した生まれ年と、生まれ月の候補の範囲とを表示する。上記の例では、ディスプレイ１８に生まれ年の「１９７９」年と、生まれ月の候補の範囲の「１月〜１２月」とが表示される。
【００３４】
他方、ステップＳ１２において、入力月日が１２月３１日でない場合、ステップＳ１５に進み、出力部２３は、生まれ年の候補の範囲を表示する。すなわち、ステップＳ１５において、出力部２３は、ステップＳ１１にて特定した生まれ年の開始年と生まれ年の終了年とを表示する。例えば、ディスプレイン１８には、図４（ｂ）に示すように、生まれ年の候補となる範囲「１９７８」、「１９７９」が表示される。
【００３５】
図３に戻り、次に、ステップＳ１６において、選択部２４は、生まれた年（生年月日の年）を選択する。その際、選択部２４は、利用者の画面上のタッチ位置に応じて生まれ年を選択する。図４の（ｂ）の例では、生まれ年に１９７８年が選択されている。
【００３６】
図３に戻り、次に、ステップＳ１７において、特定部２２は、生まれ年が生まれ年の開始年であるかを判定する。生まれ年が生まれ年の開始年である場合、ステップＳ１８に進み、特定部２２は、生まれ年を生まれ年の開始年と特定する。生まれ年が生まれ年の開始年でない場合、ステップＳ１９に進み、特定部２２は、生まれ年を生まれ年の終了年と特定する。
【００３７】
次に、ステップＳ２０に進み、特定部２２は、入力された年齢と、特定した生まれ年と、入力年月日とに基づき、生まれ月の候補となる範囲を特定する。次に、ステップＳ１４において、出力部２３は、特定した生まれ年と、生まれ月の候補の範囲とを表示する。
【００３８】
例えば、入力年月日「２０１４／３／６」、年齢「３５」歳が入力された場合を例に挙げて説明する。この場合、生年月日の候補となる範囲は「１９７８／３／７〜１９７９／３／６」と特定される。
【００３９】
ステップＳ１６において、生まれ年に生まれ年の開始年「１９７８」が選択されると、生年月日の候補の範囲は「１９７８／３／７〜１９７８／１２／３１」と特定される。このため、図４（ｃ）に示すように、生まれ月の候補の範囲は、３月（開始月）〜１２月（終了月）のそれぞれの月となる。図４（ｃ）に示す例では、生まれ年の１９７８年と、生まれ月の候補の範囲の３月〜１２月のそれぞれの月とがディスプレイ１８に表示される。
【００４０】
他方、ステップＳ１６において、図４（ｂ'）に示すように、生まれ年に生まれ年の終了年「１９７９」が選択されると、生年月日の候補の範囲は「１９７９／１／１〜１９７９／３／６」と特定される。つまり、特定部２２は、生まれ月の候補の範囲を１月（開始月）〜３月（終了月）のそれぞれの月と特定する。その結果、図４（ｃ'）に示すように、生まれ年の１９７８年と、生まれ月の候補の範囲の１月〜３月のそれぞれの月とがディスプレイ１８に表示される。
【００４１】
図３に戻り、次に、ステップＳ２１において、選択部２４は、生まれた月（生年月日の月）を選択する。選択部２４は、利用者の画面上のタッチ位置に応じて生まれ月を選択する。図４（ｃ）及び図４（ｃ'）の例では、生まれた月として３月が選択されている。
【００４２】
図３に戻り、次に、ステップＳ２２において、特定部２２は、入力された生まれ月と、入力年月日の月とが同じか否かを判定する。入力された生まれ月と入力年月日の月とが同じ場合、ステップＳ２３に進み、特定部２２は、入力された年齢と、特定した生まれ年及び生まれ月と、入力年月日とに基づき、生まれ日の候補となる範囲を特定し、ステップＳ２５に進む。入力された生まれ月と入力年月日の月とが異なる場合、ステップＳ２４に進み、特定部２２は、生まれ日の候補になる範囲を、特定した生まれ月の開始日（１日）からその月の終了日と特定し、ステップＳ２５に進む。
【００４３】
次に、ステップＳ２５において、出力部２３は、特定した生まれ年及び生まれ月と、生まれ日の候補となる範囲のそれぞれの日を表示する。例えば、図４（ｃ）に示すように、生まれた月に「３」月が選択された場合、生まれ月は、入力年月日「２０１４／３／６」の月と同じである。生まれ年が１９７８年の場合、生年月日の候補の範囲は「１９７８／３／７〜１９７８／１２／３１」であるため、生まれ日の候補の範囲は、７日〜３１日と特定される。この結果、ディスプレイ１８には、図４（ｄ）に示すように、特定した生まれ年及び生まれ月とともに、生まれ日の候補になる範囲のそれぞれの日として７日〜３１日の各日が表示される。
【００４４】
また、例えば、図４（ｃ'）に示すように、生まれた月に「１」月が選択された場合、生まれ月は、入力年月日「２０１４／３／６」の月と異なる。この場合、生まれ日の候補の範囲は、１月に含まれる全日である１日〜３１日と特定される。この結果、ディスプレイ１８には、図４（ｄ'）に示すように、特定した生まれ年及び生まれ月とともに、生まれ日の候補になる範囲のとして１日〜３１日のそれぞれが表示される。
【００４５】
図３に戻り、次に、選択部２４は、ステップＳ２６において、生まれた日を選択する。例えば、図４（ｄ）に示す例では、選択部２４は、タッチ操作に応じて生まれ日に「９」日を選択する。また、図４（ｄ'）に示す例では、選択部２４は、タッチ操作に応じて生まれ日に「５」日を選択する。
【００４６】
以上に説明したように、本実施形態に係る情報入力支援装置１によれば、入力された年齢とその年齢の入力を受け付けた年月日とから、生年月日の候補となる範囲を絞り込むことができる。絞り込んだ結果、特定された生年月日の候補となる範囲を表示することで、情報入力支援装置１の利用者は、簡単な操作のみで生年月日の登録ができる。これにより、生年月日の入力の手間を減少させることができる。
【００４７】
また、入力画面において生年月日の候補となる範囲をドロップダウンリスト（以下、「プルダウンメニュー」ともいう。）の表示形態で表示することで、生年月日の入力の手間をより減少させることができる。
【００４８】
その際、ドロップダウンリストにて、生まれ年の候補となる範囲を西暦とともに和暦を併記することで、西暦に慣れている人及び和暦に慣れている人のいずれに対しても生まれ年の入力操作を容易にすることができる。ただし、出力部２３は、生まれ年の候補となる範囲を西暦のみで表示してもよし、和暦のみで表示してもよい。
【００４９】
［簡易な入力操作のためのその他の方法］
（年齢の初期値設定）
本実施形態に係る情報入力支援装置１で行うことができる、年齢の初期値設定について、図５を参照しながら説明する。図５は、年齢を入力する際の入力操作を容易にするために実行される、年齢の初期値設定処理の一例を示すフローチャートである。
【００５０】
本処理が開始されると、ステップＳ５０において、特定部２２は、年齢の初期値に３５歳を設定する。本実施形態では、情報入力支援装置１を用いて生年月日を入力する利用者の平均的年齢を３５歳に設定し、年齢の初期値として使用する。ただし、年齢の初期値は３５歳に限らず、他の年齢に設定されてもよい。
【００５１】
例えば、図６（ａ）及び図７（ａ）に年齢の入力画面の一例を示す。図６（ａ）の画面には、年齢の二桁の取り得る数字の組み合わせがすべて表示されている。図７（ａ）の画面には、年齢（十の桁及び一の桁の二桁）それぞれのダイヤルを上方向又は下方向にフリック又はスワイプ操作することで、年齢の二桁のそれぞれの桁の数値を画面でスクロールさせる表示形態が示されている。
【００５２】
図７（ａ）の例では、年齢の表示がより容易になるように、利用者の平均的年齢と予想される３５歳を、中央に表示する。これにより、３５歳及び３５歳に近似する年齢の入力をより容易に行うことができる。
【００５３】
図５に戻り、次に、ステップＳ５２において、特定部２２は、利用者のプロファイルから年齢を推定できる場合、その推定年齢を年齢の初期値として更新する。例えば、利用者のプロファイルから、学生、会社員、既婚者、独身等を推定できる場合、特定部２２は、それらの推定から年齢の初期値を設定し直す。小児の利用が多いシステムの場合、特定部２２は、利用者の平均的年齢を１０歳に設定したり、老人の利用が多いシステムの場合、利用者の平均的年齢を６５歳に設定したりする。これにより、提供するシステムや業務に応じて適切な年齢の初期値を設定することができる。
【００５４】
次に、ステップＳ５４において、出力部２３は、初期表示された年齢をステップＳ５２にて推定された年齢に修正して表示する。これにより、年齢の入力の手間を減少させることができる。
【００５５】
（生年月日の初期値設定）
次に生年月日の初期値設定の一例について、図６および図７を参照しながら説明する。図６（ｂ）の画面には、生年月日の取り得る数字の組み合わせがすべて表示されている。図７（ｂ）の画面には、年、月、日のそれぞれのダイヤルを上方向又は下方向にフリック又はスワイプ操作することで、生年月日のそれぞれの数値を画面上でスクロールさせるダイヤル式の表示形態が示されている。
【００５６】
入力年月日「２０１４／３／６」に、年齢「３５」歳が入力された場合の前記の例では、生年月日の候補の範囲は「１９７８／３／７〜１９７９／３／６」となる。本実施形態では、生まれ年の初期値は、生まれ年の開始年に設定されている。ただし、本実施形態では、生まれ年の初期値は、生まれ年の終了年に設定されてもよい。生まれ年の初期値が、生まれ年の開始年に設定された場合、図６（ｂ）に示すように、出力部２３は、生まれた年の初期値「１９７８」を初期値として表示する。初期値の表示方法としては、本実施形態では、初期値が表示された領域に斜線を引いている。しかしながら、初期値の表示方法は、これに限らず、初期値が明示的に表示され得るいかなる表示態様も用いることができる。
【００５７】
生まれ年が「１９７８」年であると推定した場合、生年月日の候補の範囲は「１９７８／３／７〜１９７８／１２／３１」であるため、生まれ月の候補となる範囲は、３月〜１２月と特定される。そこで、出力部２３は、３月〜１２月の中央値である７月を生まれ月の初期値とする。また、出力部２３は、７月に含まれる１日〜３１日の中央値である１５日を生まれ日の初期値とする。
【００５８】
図６（ｂ）には、初期値として、「１９７８」年、「７」月、「１５」日が斜線で表示されている。また、図７（ｂ）にも、初期値として、「１９７８」年、「７」月、「１５」日が斜線で表示されている。なお、図６（ｂ）では、生年月日のすべての数値の組み合わせが表示されているのに対して、図７（ｂ）では、生年月日の初期値を中心に所定の範囲の数値が、生年月日の候補となる範囲として優先表示されている。つまり、図７（ｂ）では、生年月日のすべての数値の組み合わせは表示されない。このように、生年月日の入力画面の表示形態としては、図４（ｂ）に示したように、生年月日の候補となる範囲のみが表示されてもよいし、図６（ｂ）に示したように、生年月日のすべての数値の組み合わせが表示されてもよい。また、図７（ｂ）に示したように、生年月日の候補となる範囲が優先して表示されてもよい。
【００５９】
なお、プルダウンメニュー及びダイヤル式の表示形態では、生まれ年、生まれ月及び生まれ日の候補となる範囲の少なくともいずれかの候補群をプルダウンメニューで表示してもよい。また、図７のようにダイヤル式の表示形態にて画面スクロールが必要な場合、表示する候補群の中央に配置される候補を初期の選択対象として表示してもよい。
【００６０】
以上、情報入力支援プログラム、情報入力支援方法及び情報入力支援装置を上記実施形態により説明したが、本発明にかかる情報入力支援プログラム、情報入力支援方法及び情報入力支援装置は上記実施形態に限定されるものではなく、本発明の範囲内で種々の変形及び改良が可能である。また、上記実施形態及び変形例が複数存在する場合、矛盾しない範囲で組み合わせることができる。
【００６１】
例えば、本実施形態では、入力した年齢と入力年月日とから生年月日の候補となる範囲が定められる。しかしながら、これに限らず、入力した年齢と入力年月日とから、履歴書の高校や大学の入学年月日及び卒業日の入学年月日を特定し、履歴書データの所定の項目欄に出力してもよい。これにより、本実施形態にかかる利用者は、生年月日の入力のみならず、入学日、卒業日、入社日等の入力の手間を減少させることができる。
【００６２】
以上の説明に関し、更に以下の項を開示する。
（付記１）
対象者の年齢の入力を受け付け、
入力された前記年齢と、前記入力を受け付けた時の年月日とに基づき、生まれ年の候補となる範囲を特定し、
特定した前記生まれ年の候補となる範囲に含まれるそれぞれの年を出力する、
処理をに実行させるための情報入力支援プログラム。
（付記２）
前記生まれ年の候補となる範囲を、プルダウンメニュー又はダイヤル式の表示形態で出力する、
付記１に記載の情報入力支援プログラム。
（付記３）
前記生まれ年の入力を受け付け、
入力された前記年齢と、入力された前記生まれ年と、前記入力を受け付けた時の年月日とに基づき、生まれ月の候補となる範囲を特定し、
特定した前記生まれ月の候補となる範囲に含まれるそれぞれの月を出力する、
付記１又は２に記載の情報入力支援プログラム。
（付記４）
前記生まれ月の入力を受け付け、
入力された前記生まれ月と前記入力を受け付けた時の月とが同じ場合、入力された前記年齢と、入力された前記生まれ年と、前記入力を受け付けた時の年月日とに基づき、生まれ日の候補となる範囲を特定し、
特定した前記生まれ日の候補となる範囲に含まれるそれぞれの日を出力する、
付記３に記載の情報入力支援プログラム。
（付記５）
プルダウンメニュー又はダイヤル式の表示形態で、前記生まれ年の候補となる範囲、前記生まれ月の候補となる範囲及び前記生まれ日の候補となる範囲の少なくともいずれかの候補群を表示する際に画面スクロールが必要な場合、表示する候補群の中央に配置される候補を初期の選択対象として表示する、
付記２〜４のいずれか一項に記載の情報入力支援プログラム。
（付記６）
対象者の年齢の入力を受け付け、
入力された前記年齢と、前記入力を受け付けた時の年月日とに基づき、生まれ年の候補となる範囲を特定し、
特定した前記生まれ年の候補となる範囲に含まれるそれぞれの年を出力する、
処理をコンピュータが実行する情報入力支援方法。
（付記７）
前記生まれ年の候補となる範囲を、プルダウンメニュー又はダイヤル式の表示形態で出力する、
付記６に記載の情報入力支援方法。
（付記８）
前記生まれ年の入力を受け付け、
入力された前記年齢と、入力された前記生まれ年と、前記入力を受け付けた時の年月日とに基づき、生まれ月の候補となる範囲を特定し、
特定した前記生まれ月の候補となる範囲に含まれるそれぞれの月を出力する、
付記６又は７に記載の情報入力支援方法。
（付記９）
前記生まれ月の入力を受け付け、
入力された前記生まれ月と前記入力を受け付けた時の月とが同じ場合、入力された前記年齢と、入力された前記生まれ年と、前記入力を受け付けた時の年月日とに基づき、生まれ日の候補となる範囲を特定し、
特定した前記生まれ日の候補となる範囲に含まれるそれぞれの日を出力する、
付記８に記載の情報入力支援方法。
（付記１０）
プルダウンメニュー又はダイヤル式の表示形態で、前記生まれ年の候補となる範囲、前記生まれ月の候補となる範囲及び前記生まれ日の候補となる範囲の少なくともいずれかの候補群を表示する際に画面スクロールが必要な場合、表示する候補群の中央に配置される候補を初期の選択対象として表示する、
付記７〜９のいずれか一項に記載の情報入力支援方法。
（付記１１）
対象者の年齢の入力を受け付ける受付部と、
入力された前記年齢と、前記入力を受け付けた時の年月日とに基づき、生まれ年の候補となる範囲を特定する特定部と、
特定した前記生まれ年の候補となる範囲に含まれるそれぞれの年を出力する出力部と、
を有する情報入力支援装置。
（付記１２）
前記生まれ年の候補となる範囲を、プルダウンメニュー又はダイヤル式の表示形態で出力する、
付記１１に記載の情報入力支援装置。
（付記１３）
前記生まれ年の入力を受け付け、
入力された前記年齢と、入力された前記生まれ年と、前記入力を受け付けた時の年月日とに基づき、生まれ月の候補となる範囲を特定し、
特定した前記生まれ月の候補となる範囲に含まれるそれぞれの月を出力する、
付記１１又は１２に記載の情報入力支援装置。
（付記１４）
前記生まれ月の入力を受け付け、
入力された前記生まれ月と前記入力を受け付けた時の月とが同じ場合、入力された前記年齢と、入力された前記生まれ年と、前記入力を受け付けた時の年月日とに基づき、生まれ日の候補となる範囲を特定し、
特定した前記生まれ日の候補となる範囲に含まれるそれぞれの日を出力する、
付記１３に記載の情報入力支援装置。
（付記１５）
プルダウンメニュー又はダイヤル式の表示形態で、前記生まれ年の候補となる範囲、前記生まれ月の候補となる範囲及び前記生まれ日の候補となる範囲の少なくともいずれかの候補群を表示する際に画面スクロールが必要な場合、表示する候補群の中央に配置される候補を初期の選択対象として表示する、
付記１２〜１４のいずれか一項に記載の情報入力支援装置。
【符号の説明】
【００６３】
１    情報入力支援装置
１０  プロセッサ
１１  モデム
１２  無線部
１３  アンテナ
１４  メモリ
１５  タッチパネル
１６  カメラ
１７  周辺デバイス
１８  ディスプレイ
１９  電源
２１  受付部
２２  特定部
２３  出力部
２４  選択部
２５  記憶部
２６  情報入力支援プログラム
【図１】
2017134779.tif 000003
【図２】
2017134779.tif 000004
【図３】
2017134779.tif 000005
【図４】
2017134779.tif 000006
【図５】
2017134779.tif 000007
【図６】
2017134779.tif 000008
【図７】
2017134779.tif 000009